(57)【要約】【課題】  ウルトラワイドバンドを使用して，各種被制御機器の設定を自動で行うことが可能な映像音響機器システムを提供する。【解決手段】  複数の映像・音響機器を含む被制御機器が所定位置に配置され，かつ被制御機器を制御するための制御装置を有する映像音響機器システムであって，制御装置は，ウルトラワイドバンド無線信号を使用して各被制御機器を制御すると共に，ウルトラワイドバンド無線通信機能が組み込まれた所定物が映像音響機器システムを視聴するユーザの位置近傍に配置され，所定物は，ウルトラワイドバンド無線通信により各被制御機器との距離を測定して制御装置に送信し，制御装置は，送信された被制御機器と所定物との各測定距離を，ユーザの存在位置と被制御機器との間の各距離と擬制して，各被制御機器に対する制御値を補正する。【選択図】  図１
2005328290.tif 000002
【特許請求の範囲】
【請求項１】
複数の映像・音響機器を含む被制御機器と，前記各被制御機器を制御するための制御装置とが配置された映像音響機器システムであって，
前記制御装置及び前記各被制御機器にはウルトラワイドバンド無線通信機能が組み込まれており，前記制御装置がウルトラワイドバンド無線通信により前記各被制御機器を制御すると共に，
さらに，ウルトラワイドバンド無線通信機能が組み込まれた所定物が前記映像音響機器システムを視聴するユーザ位置の近傍に配置されており，
前記所定物は，ウルトラワイドバンド無線通信により前記各被制御機器との距離を測定して前記制御装置に送信し，
前記制御装置は，前記送信された前記各被制御機器と前記所定物との各測定距離を，前記ユーザ位置と前記各被制御機器との間の距離と擬制して，前記各被制御機器に対する制御値を補正する，
ことを特徴とする映像音響機器システム
【請求項２】
前記所定物には，前記映像音響機器システムを構成する被制御機器を特定する識別情報が予め登録されており，
前記所定物は，ウルトラワイドバンド無線通信により全ての被制御機器との間の距離測定すると共に，通信が実行された被制御機器の識別情報を取得し，
前記所定物は，前記識別情報が送信されなかった被制御機器が存在すると判断した場合には，前記ユーザに対して前記所定物の位置変更を促す旨を通知する，
ことを特徴とする請求項１に記載の映像音響機器システム
【請求項３】
さらに，前記制御装置には，前記映像音響機器システムを構成する被制御機器を特定する前記識別情報が予め登録されていると共に，
前記制御装置は，ウルトラワイドバンド無線通信により全ての被制御機器との通信を実行して，通信が実行された被制御機器の識別情報を取得し，
前記制御装置は，前記識別情報が送信されなかった被制御機器が存在すると判断した場合には，前記識別情報と前記識別情報に対応する被制御機器への制御値とが関連付けられたデータを，前記所定物に対して送信し，
前記所定物は，前記識別情報に対応する被制御機器に対して，対応する制御値を前記被制御機器に送信する，  
ことを特徴とする請求項１または２に記載の映像音響機器システム。
【請求項４】
前記所定物は，前記制御装置を操作するためのリモコン装置，前記ユーザが所有するＩＣカード，あるいは前記ユーザが着席するソファから選択されるいずれか一つである，ことを特徴とする請求項１，２あるいは３項のうちいずれか１項に記載の映像音響機器システム。
【請求項５】
前記所定物は，予め設定された時間間隔で，ウルトラワイドバンド無線通信により前記各被制御機器との間の距離を測定する，ことを特徴とする請求項１，２，３あるいは４項のうちいずれか１項に記載の映像音響機器システム。
【請求項６】
前記制御装置は，予め設定された時間間隔で，ウルトラワイドバンド無線通信により前記各被制御機器に対して通信を実行して，識別番号を要求する，ことを特徴とする請求項３，４あるいは５項のうちいずれか１項に記載の映像音響機器システム。
【請求項７】
複数の映像・音響機器を含む被制御機器とが配置された映像音響機器システムにおいて，前記各被制御機器を制御するための制御装置であって，
前記制御装置は，さらに，前記被制御機器を制御するためのウルトラワイドバンド無線通信手段を有しており，
前記制御装置は，映像音響機器システムを視聴するユーザ位置の近傍に配置された所定物からウルトラワイドバンド無線通信を使用して送信された，前記各被制御機器と前記所定物との距離データを受信し，
前記受信した前記各被制御機器と前記所定物との各測定距離を，前記ユーザの存在位置と前記被制御機器との間の距離と擬制して，前記各被制御機器に対する制御値を補正し，
前記補正された制御値をウルトラワイドバンド無線通信を使用して前記各被制御機器に対して送信する，
ことを特徴とする制御装置。
【請求項８】
前記制御装置は，さらに，前記映像音響機器システムを構成する被制御機器を特定する前記識別情報を予め登録する登録手段を有しており，
前記制御装置は，ウルトラワイドバンド無線通信により全ての被制御機器との通信を実行して，通信が実行された被制御機器の識別情報を取得し，
前記制御装置は，前記識別情報が送信されなかった被制御機器が存在すると判断した場合には，前記識別情報と前記識別情報に対応する被制御機器への制御値とが関連付けられたデータを，前記所定物に対して送信する，
ことを特徴とする請求項７に記載の制御装置。
【請求項９】
前記制御装置は，予め設定された時間間隔で，ウルトラワイドバンド無線通信により前記各被制御機器に対して通信を実行して，識別番号を要求する，ことを特徴とする請求項８に記載の制御装置。
【請求項１０】
複数の映像・音響機器を含む被制御機器と，前記各被制御機器を制御するための制御装置とが配置された映像音響機器システムにおいて，前記映像音響機器システムを視聴するユーザ位置の近傍に配置される，ウルトラワイドバンド無線通信機能が組み込まれた送受信装置であって，
前記送受信装置は，
前記被制御機器に予め設定された識別情報を取得して登録する登録手段を有しており，
ウルトラワイドバンド無線通信により全ての被制御機器との間の距離測定すると共に，通信が実行された被制御機器の識別情報を取得し，
前記識別情報が送信されなかった被制御機器が存在すると判断した場合には，前記ユーザに対して前記所定物の位置変更を促す旨を通知する，
ことを特徴とする送受信装置。
【請求項１１】
前記送受信装置は，前記制御装置を操作するためのリモコン装置，前記ユーザが所有するＩＣカード，あるいは前記ユーザが着席するソファから選択されるいずれか一つに組み込まれている，ことを特徴とする請求項１０に記載の送受信装置。
【請求項１２】
前記送受信装置は，
前記制御装置から送信された，前記識別情報と前記識別情報に対応する被制御機器への制御値とが関連付けられたデータを受信し，
前記識別情報に対応する被制御機器に対して，対応する制御値を前記被制御機器に送信する，  
ことを特徴とする請求項１０または１１に記載の送受信装置。
【請求項１３】
前記送受信装置は，予め設定された時間間隔で，前記各被制御機器との間の距離を測定する，ことを特徴とする請求項１０，１１あるいは１２項のうちいずれか１項に記載の送受信装置。
【請求項１４】
複数の映像・音響機器を含む被制御機器と，前記各被制御機器を制御するための制御装置とが配置された映像音響機器システムにおける被制御機器の制御方法であって，
前記制御装置及び前記各被制御機器にはウルトラワイドバンド無線通信機能が組み込まれており，前記制御装置がウルトラワイドバンド無線通信により前記各被制御機器を制御すると共に，
さらに，ウルトラワイドバンド無線通信機能が組み込まれた所定物が前記映像音響機器システムを視聴するユーザ位置の近傍に配置されており，
前記所定物は，ウルトラワイドバンド無線通信により前記各被制御機器との距離を測定して前記制御装置に送信し，
前記制御装置は，前記送信された前記各被制御機器と前記所定物との各測定距離を，前記ユーザ位置と前記各被制御機器との間の距離と擬制して，前記各被制御機器に対する制御値を補正する，
ことを特徴とする映像音響機器システムにおける被制御機器の制御方法。
【請求項１５】
前記所定物には，前記映像音響機器システムを構成する被制御機器を特定する識別情報が予め登録されており，
前記所定物は，ウルトラワイドバンド無線通信により全ての被制御機器との間の距離測定すると共に，通信が実行された被制御機器の識別情報を取得し，
前記所定物は，前記識別情報が送信されなかった被制御機器が存在すると判断した場合には，前記ユーザに対して前記所定物の位置変更を促す旨を通知する，
ことを特徴とする請求項１４に記載の映像音響機器システムにおける被制御機器の制御方法。
【請求項１６】
さらに，前記制御装置には，前記映像音響機器システムを構成する被制御機器を特定する前記識別情報が予め登録されていると共に，
前記制御装置は，ウルトラワイドバンド無線通信により全ての被制御機器との通信を実行して，通信が実行された被制御機器の識別情報を取得し，
前記制御装置は，前記識別情報が送信されなかった被制御機器が存在すると判断した場合には，前記識別情報と前記識別情報に対応する被制御機器への制御値とが関連付けられたデータを，前記所定物に対して送信し，
前記所定物は，前記識別情報に対応する被制御機器に対して，対応する制御値を前記被制御機器に送信する，  
ことを特徴とする請求項１４または１５に記載の映像音響機器システムにおける被制御機器の制御方法。
【請求項１７】
前記所定物は，前記制御装置を操作するためのリモコン装置，前記ユーザが所有するＩＣカード，あるいは前記ユーザが着席するソファから選択されるいずれか一つである，ことを特徴とする請求項１４，１５あるいは１６項のうちいずれか１項に記載の映像音響機器システムにおける被制御機器の制御方法。
【請求項１８】
前記所定物は，予め設定された時間間隔で，ウルトラワイドバンド無線通信により前記各被制御機器との間の距離を測定する，ことを特徴とする請求項１４，１５，１６あるいは１７項のうちいずれか１項に記載の映像音響機器システムにおける被制御機器の制御方法。
【請求項１９】
前記制御装置は，予め設定された時間間隔で，ウルトラワイドバンド無線通信により前記各被制御機器に対して通信を実行して，識別番号を要求する，ことを特徴とする請求項１６，１７あるいは１８項のうちいずれか１項に記載の映像音響機器システムにおける被制御機器の制御方法。
【発明の詳細な説明】
【技術分野】
【０００１】
本発明は，映像音響機器システム，映像音響機器システムにおける制御装置，送受信装置，映像音響機器システムにおける被制御機器の制御方法，映像音響機器システムにおける制御方法に関し，さらに詳細には，ウルトラワイドバンド無線信号を利用した映像音響機器システム，映像音響機器システムにおける制御装置，送受信装置，映像音響機器システムにおける被制御機器の制御方法に関する。
【背景技術】
【０００２】
近年においては，多数のスピーカを部屋内に配置し，例えば，５．１ｃｈや６．１ｃｈのサラウンドシステムなどの音響設備を用いて，臨場感のある音を再現する映像音響機器システムが人気を博している。また，制御装置から各スピーカに対して，音量，音質などの音情報をケーブルの代わりに光などを用いて無線伝送するシステムが存在している（例えば，特許文献１参照）。
【０００３】
上記従来の映像音響機器システムにおいては，ユーザと各スピーカとの位置関係により，ユーザに届く音量・音質などの音情報や画像の明るさなどの画像情報が異なってくるため，各種機器の設定を好適に行う必要がある。このような各種機器の設定は，ユーザが各機器の配置を決定し，これらの機器に付属する入力インタフェースやリモコン装置を通じて映像機器の明るさの強度，及び，音響機器の音量などを設定していた。
【０００４】
【特許文献１】特開平６−２５２６７１号公報
【発明の開示】
【発明が解決しようとする課題】
【０００５】
しかしながら，従来における映像音響機器システム（例えば，ホームシアタシステム）においては，映像機器の明るさや強度，複数の音響機器の音量などの調和した視聴環境の設定を調節するためには，専門知識が必要であるため，ユーザが映像音響機器について最適な音量・音質など（以下，音情報ともいう）に調整することが困難であった。このため，ユーザがホームシアタの視聴環境を変更しようとしても，視聴機器の配置場所に制約が生じる，という問題があった。
【０００６】
ところで，近年においては，未来の無線技術と呼ばれるウルトラワイドバンド（ＵＷＢ）が商用に利用することが期待されている。従来における無線通信技術は，信号を遠方に明瞭に電送するためキャリア（基本伝送波）を使用して狭帯域で通信を行うものであったが，ウルトラワイドバンドは，３．１ＧＨｚ〜１０．６ＧＨｚの広帯域を使用でき，低消費電力で超高速なデータ転送を実現することができる。かかるウルトラワイドバンドは，測距手段と通信手段を合わせもっており，各種通信分野での利用が期待されている。
【０００７】
したがって，本発明の目的は，ウルトラワイドバンド無線通信を使用して，各種機器の設定を自動で行うことが可能な新規かつ改良された映像音響機器システム等を提供することにある。
【課題を解決するための手段】
【０００８】
本発明の第１の観点においては，複数の映像・音響機器を含む被制御機器と，前記各被制御機器を制御するための制御装置とが配置された映像音響機器システムであって，前記制御装置及び前記各被制御機器にはウルトラワイドバンド無線通信機能が組み込まれており，前記制御装置がウルトラワイドバンド無線通信により前記各被制御機器を制御すると共に，さらに，ウルトラワイドバンド無線通信機能が組み込まれた所定物が前記映像音響機器システムを視聴するユーザ位置の近傍に配置されており，前記所定物は，ウルトラワイドバンド無線通信により前記各被制御機器との距離を測定して前記制御装置に送信し，前記制御装置は，前記送信された前記各被制御機器と前記所定物との各測定距離を，前記ユーザ位置と前記各被制御機器との間の距離と擬制して，前記各被制御機器に対する制御値を補正する，ことを特徴とする映像音響機器システムが提供される。
【０００９】
上記記載の発明では，ウルトラワイドバンド無線信号の測距機能を利用して，ユーザの近傍に位置するリモコン装置から被制御機器の配置状況を判断して，各種被制御機器などの視聴関連機器の設定を自動的に行うことができる。即ち，映像機器の明るさの強度，及び複数台の音響機器の音量などの出力が自動調節されるので，容易に好適な視聴環境を設定することができる。したがって，被制御機器の出力が自動的に調節されるので，被制御機器を配置する際の自由度が向上する。このように，例えばリモコン装置の近傍に位置するユーザにとって最適な音量・音質のオーディオを実現することができる。
【００１０】
また，前記所定物には，前記映像音響機器システムを構成する被制御機器を特定する識別情報が予め登録されており，前記所定物は，ウルトラワイドバンド無線通信により全ての被制御機器との間の距離測定すると共に，通信が実行された被制御機器の識別情報を取得し，前記所定物は，前記識別情報が送信されなかった被制御機器が存在すると判断した場合には，前記ユーザに対して前記所定物の位置変更を促す旨を通知する，如く構成すれば，被制御機器が測距不可能な位置にある場合には，ユーザに対して，所定物（例えばリモコン装置）の位置を移動するように通知されるので，所定物を好適な位置に移動することにより，全ての被制御機器の測距を実行することができる。
【００１１】
また，さらに，前記制御装置には，前記映像音響機器システムを構成する被制御機器を特定する前記識別情報が予め登録されていると共に，前記制御装置は，ウルトラワイドバンド無線通信により全ての被制御機器との通信を実行して，通信が実行された被制御機器の識別情報を取得し，前記制御装置は，前記識別情報が送信されなかった被制御機器が存在すると判断した場合には，前記識別情報と前記識別情報に対応する被制御機器への制御値とが関連付けられたデータを，前記所定物に対して送信し，前記所定物は，前記識別情報に対応する被制御機器に対して，対応する制御値を前記被制御機器に送信する，如く構成すれば，制御装置は，ウルトラワイドバンド無線通信を直接実行できない被制御機器に対しても，ユーザ近傍に配置されている所定物，あるいはウルトラワイドバンド無線通信機能を有する他の所定物を介して，被制御機器を制御する（例えば出力量を調整する）ことができる。
【００１２】
また，前記所定物は，前記制御装置を操作するためのリモコン装置，前記ユーザが所有するＩＣカード，あるいは前記ユーザが着席するソファから選択されるいずれか一つである，如く構成すれば，映像音響機器システムを視聴するユーザの近傍に置かれるので，好適にユーザと各被制御機器との間の距離と擬制することができる。
【００１３】
また，前記所定物は，予め設定された時間間隔で，ウルトラワイドバンド無線通信により前記各被制御機器との間の距離を測定する，如く構成すれば，例えばホームシアタを視聴するユーザが移動した場合であっても，適宜，被制御機器の出力値を自動的に好適に調整することができる。
【００１４】
また，前記制御装置は，予め設定された時間間隔で，ウルトラワイドバンド無線通信により前記各被制御機器に対して通信を実行して，識別番号を要求する，如く構成すれば，自動的に，制御装置と直接通信を実行できない被制御機器を認識することができるので，好適に，ユーザ近傍に配置されている所定物，あるいはウルトラワイドバンド無線通信機能を有する他の所定物を介して，被制御機器を制御する（例えば出力量を調整する）ことができる。
【００１５】
上記課題を解決するため，本発明の第２の観点においては，複数の映像・音響機器を含む被制御機器とが配置された映像音響機器システムにおいて，前記各被制御機器を制御するための制御装置であって，前記制御装置は，さらに，前記被制御機器を制御するためのウルトラワイドバンド無線通信手段を有しており，前記制御装置は，映像音響機器システムを視聴するユーザ位置の近傍に配置された所定物からウルトラワイドバンド無線通信を使用して送信された，前記各被制御機器と前記所定物との距離データを受信し，前記受信した前記各被制御機器と前記所定物との各測定距離を，前記ユーザの存在位置と前記被制御機器との間の距離と擬制して，前記各被制御機器に対する制御値を補正し，前記補正された制御値をウルトラワイドバンド無線通信を使用して前記各被制御機器に対して送信する，ことを特徴とする制御装置が提供される。
【００１６】
上記記載の発明では，ウルトラワイドバンド無線信号の測距機能を利用して，ユーザの近傍に位置するリモコン装置から被制御機器の配置状況を判断して，各種被制御機器などの視聴関連機器の設定を自動的に行うことができる。即ち，映像機器の明るさの強度，及び複数台の音響機器の音量などの出力が自動調節されるので，容易に好適な視聴環境を設定することができる。したがって，被制御機器の出力が自動的に調節されるので，被制御機器を配置する際の自由度が向上する。このように，例えばリモコン装置の近傍に位置するユーザにとって最適な音量・音質のオーディオを実現することができる。
【００１７】
また，前記制御装置は，前記映像音響機器システムを構成する被制御機器を特定する前記識別情報を登録する登録手段と，ウルトラワイドバンド無線通信により，全ての被制御機器との通信を実行して，通信が不可能な被制御機器が存在する場合には，当該通信不可能な被制御機器の識別情報を認識する手段と，を有しており，前記送信手段は，前記通信不可能な被制御機器に対する制御値と，その識別情報を関連付けたデータとして，前記所定物に送信する，如く構成すれば，制御装置は，ウルトラワイドバンド無線通信を直接実行できない被制御機器に対しても，ユーザ近傍に配置されているウルトラワイドバンド無線通信機能を有する所定物を介して，被制御機器を制御する（例えば出力量を調整する）ことができる。
【００１８】
また，前記制御装置は，予め設定された時間間隔で，ウルトラワイドバンド無線通信により前記各被制御機器に対して通信を実行して，識別番号を要求する，如く構成すれば，ユーザ近傍に配置されている所定物，あるいはウルトラワイドバンド無線通信機能を有する他の所定物を介して，被制御機器を制御する（例えば出力量を調整する）ことができる。
【００１９】
上記課題を解決するため，本発明の第３の観点においては，複数の映像・音響機器を含む被制御機器と，前記各被制御機器を制御するための制御装置とが配置された映像音響機器システムにおいて，前記映像音響機器システムを視聴するユーザ位置の近傍に配置される，ウルトラワイドバンド無線通信機能が組み込まれた送受信装置であって，前記送受信装置は，前記被制御機器に予め設定された識別情報を取得して登録する登録手段を有しており，ウルトラワイドバンド無線通信により全ての被制御機器との間の距離測定すると共に，通信が実行された被制御機器の識別情報を取得し，前記識別情報が送信されなかった被制御機器が存在すると判断した場合には，前記ユーザに対して前記所定物の位置変更を促す旨を通知する，ことを特徴とする送受信装置が提供される。
【００２０】
上記記載の発明では，被制御機器が測距不可能な位置にある場合には，ユーザに対して，所定物（例えばリモコン装置）の位置を移動するように通知されるので，所定物を好適な位置に移動することにより，全ての被制御機器の測距を実行することができる。
【００２１】
また，前記送受信装置は，前記制御装置を操作するためのリモコン装置，前記ユーザが所有するＩＣカード，あるいは前記ユーザが着席するソファから選択されるいずれか一つに組み込まれている，如く構成すれば，送受信装置が映像音響機器システムを視聴するユーザの近傍に置かれるので，好適にユーザと各被制御機器との間の距離と擬制することができる。
【００２２】
また，前記送受信装置は，前記制御装置から送信された，前記識別情報と前記識別情報に対応する被制御機器への制御値とが関連付けられたデータを受信し，前記識別情報に対応する被制御機器に対して，対応する制御値を前記被制御機器に送信する，如く構成すれば，制御装置とウルトラワイドバンド無線通信を直接実行できない被制御機器に対しても，送受信装置を介して被制御機器を制御する（例えば出力量を調整する）ことができる。
【００２３】
また，前記送受信装置は，予め設定された時間間隔で，前記各被制御機器との間の距離を測定する，如く構成すれば，ユーザ近傍に配置されている所定物，あるいはウルトラワイドバンド無線通信機能を有する他の所定物を介して，被制御機器を制御する（例えば出力量を調整する）ことができる。
【００２４】
上記課題を解決するため，本発明の第４の観点においては，複数の映像・音響機器を含む被制御機器と，前記各被制御機器を制御するための制御装置とが配置された映像音響機器システムにおける被制御機器の制御方法であって，前記制御装置及び前記各被制御機器にはウルトラワイドバンド無線通信機能が組み込まれており，前記制御装置がウルトラワイドバンド無線通信により前記各被制御機器を制御すると共に，さらに，ウルトラワイドバンド無線通信機能が組み込まれた所定物が前記映像音響機器システムを視聴するユーザ位置の近傍に配置されており，前記所定物は，ウルトラワイドバンド無線通信により前記各被制御機器との距離を測定して前記制御装置に送信し，前記制御装置は，前記送信された前記各被制御機器と前記所定物との各測定距離を，前記ユーザ位置と前記各被制御機器との間の距離と擬制して，前記各被制御機器に対する制御値を補正する，ことを特徴とする映像音響機器システムにおける被制御機器の制御方法が提供される。
【００２５】
上記記載の発明では，ウルトラワイドバンド無線信号の測距機能を利用して，ユーザの近傍に位置するリモコン装置から被制御機器の配置状況を判断して，各種被制御機器などの視聴関連機器の設定を自動的に行うことができる。即ち，映像機器の明るさの強度，及び複数台の音響機器の音量などの出力が自動調節されるので，容易に好適な視聴環境を設定することができる。したがって，被制御機器の出力が自動的に調節されるので，被制御機器を配置する際の自由度が向上する。このように，例えばリモコン装置の近傍に位置するユーザにとって最適な音量・音質のオーディオを実現することができる。
【００２６】
また，前記所定物には，前記映像音響機器システムを構成する被制御機器を特定する識別情報が予め登録されており，前記所定物は，ウルトラワイドバンド無線通信により全ての被制御機器との間の距離測定すると共に，通信が実行された被制御機器の識別情報を取得し，前記所定物は，前記識別情報が送信されなかった被制御機器が存在すると判断した場合には，前記ユーザに対して前記所定物の位置変更を促す旨を通知する，如く構成すれば，被制御機器が測距不可能な位置にある場合には，ユーザに対して，所定物（例えばリモコン装置）の位置を移動するように通知されるので，所定物を好適な位置に移動することにより，全ての被制御機器の測距を実行することができる。
【００２７】
また，さらに，前記制御装置には，前記映像音響機器システムを構成する被制御機器を特定する前記識別情報が予め登録されていると共に，前記制御装置は，ウルトラワイドバンド無線通信により全ての被制御機器との通信を実行して，通信が実行された被制御機器の識別情報を取得し，前記制御装置は，前記識別情報が送信されなかった被制御機器が存在すると判断した場合には，前記識別情報と前記識別情報に対応する被制御機器への制御値とが関連付けられたデータを，前記所定物に対して送信し，前記所定物は，前記識別情報に対応する被制御機器に対して，対応する制御値を前記被制御機器に送信する，如く構成すれば，制御装置は，ウルトラワイドバンド無線通信を直接実行できない被制御機器に対しても，ユーザ近傍に配置されている所定物，あるいはウルトラワイドバンド無線通信機能を有する他の所定物を介して，被制御機器を制御する（例えば出力量を調整する）ことができる。
【００２８】
また，前記所定物は，前記制御装置を操作するためのリモコン装置，前記ユーザが所有するＩＣカード，あるいは前記ユーザが着席するソファから選択されるいずれか一つである，如く構成すれば，映像音響機器システムを視聴するユーザの近傍に置かれるので，好適にユーザと各被制御機器との間の距離と擬制することができる。
【００２９】
また，前記所定物は，予め設定された時間間隔で，ウルトラワイドバンド無線通信により前記各被制御機器との間の距離を測定する，如く構成すれば，例えばホームシアタを視聴するユーザが移動した場合であっても，適宜，被制御機器の出力値を自動的に好適に調整することができる。
【００３０】
また，前記制御装置は，予め設定された時間間隔で，ウルトラワイドバンド無線通信により前記各被制御機器に対して通信を実行して，識別番号を要求する，如く構成すれば，ユーザ近傍に配置されている所定物，あるいはウルトラワイドバンド無線通信機能を有する他の所定物を介して，被制御機器を制御する（例えば出力量を調整する）ことができる。
【発明の効果】
【００３１】
ウルトラワイドバンド無線信号の測距機能を利用して，ユーザの近傍に位置するリモコン装置から被制御機器の配置状況を判断して，各種被制御機器などの視聴関連機器の設定を自動的に行うことができる。即ち，映像機器の明るさの強度，及び複数台の音響機器の音量などの出力が自動調節されるので，容易に好適な視聴環境を設定することができる。したがって，被制御機器の出力が自動的に調節されるので，被制御機器を配置する際の自由度が向上する。このように，例えばリモコン装置の近傍に位置するユーザにとって最適な音量・音質のオーディオを実現することができる。
【発明を実施するための最良の形態】
【００３２】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３３】
本実施形態においては，制御装置，各スピーカ，リモコン装置にウルトラワイドバンド（ＵＷＢ）無線通信機能が搭載されており，かかるウルトラワイドバンドの有する測距機能および通信機能を利用して，ユーザと各種被制御機器との間の距離を測定し，かかる測定値により各種被制御機器の出力値が好適に補正される。なお，本実施形態においては，リモコン装置をユーザの位置として擬制している。これは，通常，リモコン装置は，ユーザの手の届く範囲にあるため，リモコン装置の位置はユーザの位置とほぼ同じであるとしているものである。
【００３４】
まず，図１に基づいて，第１の実施の形態にかかる映像音響機器システム１０の構成について説明する。なお，図１は，第１の実施の形態にかかる映像音響機器システム１０の構成を示す説明図である。なお，図１には，本実施形態にかかる映像音響機器システム１０を実際に家庭内に配置した場合の構成を示している。
【００３５】
まず，図１に示すように，本実施形態にかかる映像音響機器システム（例えば，ホームシアタシステム）１０においては，例えば，ＤＶＤプレイヤ１００，ディジタルアンプ（制御装置）２００，プロジェクタ３００，スクリーン４００，スピーカ５００，ウーファ６００などが配置されている。また，リモコン装置７００は，ホームシアタを視聴するユーザが座るソファに置かれている。以下では，ＤＶＤプレイヤ１００プロジェクタ３００，スクリーン４００，スピーカ５００，ウーファ６００は，総括して，制御装置から出力される制御値により制御される被制御機器と称す場合がある。全ての被制御機器は，ウルトラワイドバンド無線通信機能が搭載されていると共に，各被制御機器を特定するための識別番号が付加されている。
【００３６】
ＤＶＤプレイヤ１００は，データ記憶媒体の一種であるＤＶＤ（ディジタルバーサトルディスク）の表面にレーザー光を照射し，その反射光を検出してデータを読み出すことにより，画像・音声を再生する装置である。
【００３７】
ディジタルアンプ（制御装置）２００は，ＤＶＤプレイヤ１００から出力される信号を，ディジタルで何十倍にも増幅してスピーカやヘッドホンから出力する装置であり，原音に忠実に高音質に再生することができる。
【００３８】
さらに，本実施形態にかかるディジタルアンプ（制御装置）２００には，一般的なディジタルアンプとしての回路構成以外に，リモコン装置７００から受信した，リモコン装置と各被制御機器との測定距離に基づいて，各被制御機器に対する制御値を補正する補正手段（図示せず），各被制御装置に対して通信可能判定信号を送信する時間間隔を測定する送信間隔用タイマ（図示せず），映像音響機器システムを構成する被制御機器を特定する識別情報（例えば，ＩＤなどの識別番号）を登録する登録手段などを有している。
【００３９】
プロジェクタ３００は，スクリーン４００に画像を投影して表示する装置であり，例えば，ＣＲＴプロジェクタ，液晶プロジェクタあるいはＤＬＰ方式のプロジェクタなどが含まれる。ＣＲＴプロジェクタでは，内部に赤・緑・青のＣＲＴを有し，スクリーン上で３色の映像がちょうど重なり合うように調整される。また，液晶プロジェクタは，光源から３つに分離した光は，赤・緑・青の３枚の液晶パネルを透過した後，再びプリズムによって１ヶ所にまとめられ，投射レンズによってスクリーンに投影される。スクリーン４００は，ＤＶＤプレイヤ１００の画像を表示するための画面である。
【００４０】
スピーカ５００は，据え置き型の音声出力装置であり，サラウンド音声を収録したＤＶＤの音声を出力するため，複数（例えば，５台）のスピーカ（５００−１〜５００−５）が設置されている。ウーファ６００は，通常のスピーカに追加して接続し，低音域のスピーカ再生音を増強する低音域専用スピーカである。なお低音域は指向性が低いため，１台で左右両チャンネルの低音域を再生することができる。
【００４１】
本実施形態においては，上記各構成機器は，ウルトラワイドバンド無線通信システムを搭載しており，相互に無線通信可能に接続されている。ウルトラワイドバンドは，測距機能及び通信機能を併せ持つという特徴を有しており，本実施形態においては，ウルトラワイドバンド無線通信機能が搭載された各被制御機器からリモコン装置までの距離を測定することができる。
【００４２】
リモコン装置７００は，ホームシアタを視聴するユーザが座るソファに置かれている。このように，リモコン装置は，通常，ユーザの手の届く範囲にあるため，リモコン装置の位置はユーザの位置とほぼ同じであるものとすることができる。以下，図２に基づいて，本実施形態にかかるリモコン装置の構成について説明する。なお，図２は，第１の実施の形態にかかるリモコン装置の構成を示すブロック図である。
【００４３】
本実施形態にかかるリモコン装置は，図２に示すように，周辺機器と対象物までの距離を測定し，周辺機器と対象物の位置関係を把握し，ネットワークの状況を制御する距離測定装置７１０，距離情報を無線送信情報に加工する信号変換装置７２０，さらに無線送信信号をウルトラワイドバンド（ＵＷＢ）通信信号に変換して，その信号をアンテナ７４０より無線送信するＵＷＢ送信装置７３０，システム全体を制御するシステム制御装置７５０，アンテナ７４０を介して送信したＵＷＢ通信信号を抽出する機能を備えたＵＷＢ受信装置７６０，ＵＷＢ通信信号を距離信号に変換する信号変換装置７７０，及び通常のリモコン装置機能（図示せず）となどから構成される。
【００４４】
さらに，本実施形態にかかるリモコン装置は，被制御機器に予め設定された識別情報を取得して登録する登録手段と，測距実施の時間間隔を測定するための測距実施用のタイマーを具備する。
【００４５】
上記構成のリモコン装置に具備されたＵＷＢ通信機能の測距機能を使用して，例えば各スピーカ間などの被制御機器と間の距離を測定することができる。測距開始のトリガーは，例えば，（１）リモコン装置のボタン押下（いずれか，あるいは特定のボタン）時，（２）予め設定された時間毎，（３）リモコン装置に内蔵される加速度センサ（図示せず）の出力値，（４）スピーカを含む被制御機器システムのパワーオン時，などとすることができる。
【００４６】
本実施形態においては，リモコン装置は，例えば各スピーカと間の測距結果を制御装置（例えば，ディジタルアンプ）２００に送信する。制御装置２００は，各スピーカの出力音量・音質を測距結果に基づいて各制御値を補正して，各スピーカに対しそれらの制御信号を送出する。各スピーカは，その制御信号に従って，音を出力する。また，以下で詳細に説明するが，本実施形態にかかるリモコン装置は，制御装置と被制御装置とがウルトラワイドバンドにより直接通信を実行することができない場合には，制御装置からの制御信号を中継して被制御装置に転送することができる。
【００４７】
なお，リモコン装置７００と制御装置２００との間のコマンド，データの通信は，無線だけに限定されたものではなく，有線で行った場合でも同じ効果がある。また，以下で説明するが，あるスピーカについて，制御装置との通信が不可能な場合，制御装置からそのスピーカ向けの音情報をリモコン装置経由で送信することもできる。
【００４８】
次に，図３〜図５に基づいて，第１の実施の形態にかかるＵＷＢの測距機能を利用したリモコン装置と各スピーカとの測距方法について説明する。図３は，第１の実施の形態にかかるＵＷＢの測距機能を利用したリモコン装置と各スピーカとの距離を一定時間ごとに測定する測距方法を示すフローチャートである。なお，本実施形態においては，スピーカ以外の他の被制御機器（例えば，スクリーン，プロジェクタなど）を制御することもできるが，理解を容易にするために，スピーカの制御方法についてのみ説明する。また，ユーザの位置を擬制する所定物として，リモコン装置を例に挙げて説明するが，ウルトラワイドバンド無線通信機能を有する送受信装置を具備するＩＣカードやソファなどをユーザ位置を擬制する手段として採用することもできる。
【００４９】
まず，ステップＳ１００で，ユーザは，リモコン装置７００のボタンを押下する（ステップＳ１００）。かかるリモコン装置の操作により，リモコン装置は各種ＡＶ装置との間の距離の測定を開始することができる。
【００５０】
次いで，ステップＳ１０２で，リモコン装置７００は，ウルトラワイドバンド無線通信により，各被制御機器の識別情報を認識してネットワーク構成を確認する（ステップＳ１０２）。即ち，リモコン装置が通信可能なスピーカを把握して，リモコン装置内のメモリ（図示せず）に登録する。例えば,リモコン装置が通信可能判定信号を各スピーカに送信し，そのアクノリッジ信号（ＡＣＫ信号）を受信することにより確認することができる。
【００５１】
その後，ステップＳ１０４で，図４に示すように，リモコン装置７００とスピーカ５００との間の距離を測定する（ステップＳ１０４）。なお，ウルトラワイドバンド無線通信機能により，無線信号の送受信の遅延時間によりその距離を測定することができる。
【００５２】
さらに，ステップＳ１０６で，上記ステップＳ１０２で登録された全てのスピーカ５００との距離を測定したか否かを判断する（ステップＳ１０６）。いずれかのスピーカが測距不可能であると判断された場合には，ステップＳ１０８に移行し，ユーザに対して，リモコン装置７００を介して，リモコン装置７００の位置変更を促す旨が通知された後（ステップＳ１０８），ステップＳ１００に移行する。なお，この場合には，リモコン装置７００の位置を変更した後，再度，リモコン装置のボタンを押下することにより，再度，スピーカとの距離の測定が開始される。
【００５３】
一方，全てのスピーカとの距離が測定されたと判断された場合には，ステップＳ１１０で，リモコン装置７００は全てのスピーカ５００との測定距離をリモコン装置７００内のメモリに格納する（ステップＳ１１０）。
【００５４】
次いで，ステップＳ１１２で，今回の測定結果が前回の測定結果と異なるか否かが判断される（ステップＳ１１２）。今回の測定結果が前回の測定結果と同じであると判断された場合には，ステップＳ１１６に移行する。
【００５５】
一方，今回の測定結果が前回の測定結果と異なると判断された場合には，ステップＳ１１４に移行し，図５に示すように，リモコン装置７００から制御装置（ディジタルアンプ）２００に対して測定結果が送信された後（ステップＳ１１４），ステップＳ１１６に移行する。
【００５６】
その後，ステップＳ１１６で，リモコン装置７００に内蔵されている測距実施用のタイマーをスタートさせる（ステップＳ１１６）。かかるタイマーは，リモコン装置が測距を実施する時間間隔を示すものであり，メーカ側で予め設定することができるほか，ユーザが自由に設定することもできる。
【００５７】
次いで，ステップＳ１１８で，タイマーの値が予め設定された値よりも大きいか否かが判断される（ステップＳ１１８）。タイマーの値が予め設定された値よりも小さいと判断される場合には，測距を開始する時間ではないとして，ステップＳ１１８に戻る。
【００５８】
一方，タイマーの値が予め設定された値よりも大きいと判断される場合には，測距を開始する時間であるとして，ステップＳ１０２に移行して，上記フローが繰り返される。
【００５９】
このように，本実施形態においては，リモコン装置は，ウルトラワイドバンド無線通信における測距機能を利用して，各スピーカとの距離を一定時間ごとに測定することができる。かかるリモコン装置により測定された測距情報は，制御装置に送信されて，音量音質の補正値が変更される。以下，図６〜図８に基づいて，本実施形態にかかる制御装置の動作フローについて説明する。なお，図６は，本実施形態にかかる制御装置の動作フローを示すフローチャートである。
【００６０】
まず，ステップＳ２００で，制御装置２００の音量・音質などの音情報の初期値が決定される（ステップＳ２００）。かかる初期値は，例えば，前回の電源オフ時の設定値をロードすることによりおこなうことができる。
【００６１】
次いで，ステップＳ２０２で，リモコン装置７００から測距結果を受信したか否かが判断される（ステップＳ２０２）。リモコン装置７００からの測距結果を受信していないと判断される場合には，ステップＳ２０８に移行する。
【００６２】
一方，リモコン装置７００からの測距結果を受信したと判断された場合には，ステップＳ２０４に移行し，制御装置２００は，受信した測距情報に基づいて，音量・音質の補正値が変更される（ステップＳ２０４）。
【００６３】
次いで，ステップＳ２０６で，制御装置２００は，アンプのダイヤルなどの設定値に補正値を加え，音量・音質の制御値が決定される（ステップＳ２０６）。
【００６４】
その後，ステップＳ２０８で，図７に示すように，補正された制御値に応じた音情報が各スピーカ５００に送信された後（ステップＳ２０８），ステップＳ２０２に移行する。
【００６５】
本実施形態においては，ウルトラワイドバンド無線信号の測距機能を利用して，ユーザの近傍に位置するリモコン装置から被制御機器（例えば，スピーカ）の配置状況を判断して，各種被制御機器などの視聴関連機器の設定を自動的に行うことができる。即ち，映像機器の明るさの強度，及び複数台の音響機器の音量・音質などの出力が自動調節されるので，容易に好適な視聴環境を設定することができる。このように，被制御機器の出力が自動的に調節されるので，被制御機器を配置する際の自由度が向上する。このように，例えばリモコン装置の近傍に位置するユーザにとって最適な音量・音質のオーディオを実現することができる。
【００６６】
また，あるスピーカについて，制御装置とそのスピーカとが通信不可能の場合には，制御装置からそのスピーカ向けの音情報をリモコン装置経由で送信することもできる。以下に，図８〜図１０に基づいて，本実施形態にかかるリモコン装置による音情報中継モードに関する制御装置の動作フローについて説明する。なお，図８は，本実施形態にかかるリモコン装置による音情報中継モードに関する制御装置の動作フローを示すフローチャートである。図９は，本実施形態にかかるリモコン装置による音情報中継モードに関する制御装置の動作フローを示すフローチャートである。
【００６７】
まず，図８に示すように，ステップＳ３００で，制御装置２００に内蔵されている通信可能判定信号を送信する送信間隔用タイマーがリセットされる（ステップＳ３００）。
【００６８】
次いで，ステップＳ３０２で，制御装置２００は，各スピーカ５００に対して通信可能判定信号を送信する（ステップＳ３０２）。
【００６９】
その後，ステップＳ３０４で，制御装置２００は，各スピーカ５００からＡＣＫ信号（アクノレッジ信号）を受信する（ステップＳ３０４）。
【００７０】
さらに，ステップＳ３０６で，制御装置２００に登録されている全てのスピーカ５００からＡＣＫ信号が受信されたか否かが判断される（ステップＳ３０６）。全てのスピーカ５００からＡＣＫ信号が受信されたと判断された場合には，ステップＳ３１０に移行する。
【００７１】
一方，全てのスピーカ５００からＡＣＫ信号が受信されていないと判断された場合には，ステップＳ３０８で，ＡＣＫ信号を受信しなかったスピーカ（即ち，制御装置２００と通信不可能な）スピーカの識別情報が登録される（ステップＳ３０８）。
【００７２】
その後，ステップＳ３１０で，通信不可能なスピーカ５００−３の識別情報と，音情報をリモコン装置７００に送信する（ステップＳ３１０）。このことにより，リモコン装置には，通信不可能なスピーカに送信すべき音情報が送信され，さらに，このリモコン装置から，制御装置と直接通信不可能なスピーカに転送される。このことにより，制御装置から直接スピーカに対して通信不可能な場合であっても，リモコン装置７００を介してスピーカに音情報を送信することができる。
【００７３】
さらに，ステップＳ３１２で，タイマーの値が予め設定された値よりも大きいか否かが判断される（ステップＳ３１２）。タイマーの値が予め設定された値よりも小さいと判断される場合には，通信可能判定信号を送信する時間ではないとして，ステップＳ３１２に戻る。
【００７４】
一方，タイマーの値が予め設定された値よりも大きいと判断される場合には，通信可能判定信号を送信する時間を越えたとして，ステップＳ３００に移行する。
【００７５】
上記制御装置の動作フローにより，制御装置は通信不可能なスピーカを認識することができる。
【００７６】
次に，図９及び図１０に基づいて，本実施形態にかかるリモコン装置による音情報中継モードに関するリモコン装置７００の動作フローを説明する。
【００７７】
まず，ステップＳ４００で，リモコン装置７００は，制御装置２００からデータを受信する（ステップＳ４００）。
【００７８】
次いで，ステップＳ４０２で，リモコン装置７００は，図１０に示すように，制御装置２００と通信不可能であった（制御装置がＡＣＫ信号を受信しなかった）スピーカの識別情報を受信したか否かを判断する（ステップＳ４０２）。制御装置２００がＡＣＫ信号を受信しなかったスピーカ（例えば，スピーカ５００−３）の識別情報を受信しないと判断される場合には，ステップＳ４００に戻る。
【００７９】
一方，リモコン装置７００は，制御装置２００と通信不可能であったスピーカ５００−３の識別情報を受信したと判断される場合には，ステップＳ４０４に移行し，受信した識別情報に対応する（制御装置と通信不可能であった）スピーカ５００−３に対して，音情報を送信する（ステップＳ４０４）。
【００８０】
本実施形態においては，制御装置とそのスピーカとが通信不可能の場合には，制御装置からそのスピーカ向けの音情報をリモコン装置経由で送信することもできる。
【００８１】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００８２】
例えば，上記実施形態においては，対象物（視聴者）から各被制御機器までの距離は，各被制御機器からと視聴者のそばにあることが想定されるリモコン装置を採用した構成を例を挙げて説明したがかかる例には限定されない。例えば，ソファー，認証カードなどにＵＷＢ通信機能を内蔵することにより，ユーザ位置を仮定して測距することものもできる。
【００８３】
また，上記実施形態においては，スピーカの音量・音質を補正する構成を採用した例をあげて説明したが，かかる例には限定されない。例えば，映像機器の明るさの強度など他の装置の視聴環境を好適に調整することもできる。
【００８４】
また，上記実施形態においては，測距開始のトリガーとして，リモコン装置のスイッチを押下した場合，及び予め設定された時間間隔である場合を例に挙げて説明したが，かかる例には，限定されない。例えば，ユーザがリモコン装置を持って移動した際のリモコン装置に内蔵する加速度センサの出力値や，スピーカを含む被制御機器システムのパワーオン時などとすることができる。
【００８５】
上記実施形態においては，被制御機器の制御値として，スピーカの音質・音量を例に挙げて説明したがかかる例には限定されない。例えば，他の制御ファクタ，あるいは他の被制御機器の制御ファクタ（例えば，スクリーンの明るさ）などを測距情報に基づいて補正することができる。
【００８６】
また，上記実施形態においては，ユーザ位置の近傍に配置される所定物として，リモコン装置を採用した構成を例に挙げて説明したが，かかる例には限定されない。例えば，前記ユーザが所有するＩＣカード，あるいは前記ユーザが着席するソファなど，ユーザの近傍に配置される物であれば，いかなる物でも採用することができる。例えば，ＩＣカードは，ユーザが着席する位置の近傍に置くことにより，本発明を実施することができる。また，ソファを採用する場合には，例えばユーザがリクライニングした場合や，ソファの位置を変更した場合であっても，本発明を実施することができる。
【００８７】
また，上記実施形態においては，リモコン装置が被制御機器との距離を測定する構成を例に挙げて説明したがかかる例には限定されない。例えば，制御装置に距離測定装置を設けることもできる。
【００８８】
また，上記実施形態においては，制御装置が直接被制御機器にウルトラワイドバンド通信を実行できない場合に，リモコン装置を介して被制御機器に制御値を送信する構成を例を挙げて説明したが，かかる例には限定されない。例えば，映像音響機器システム内に，ウルトラワイドバンド通信機能を有する１又は２以上の他の所定物を配置して，かかる他の所定物を介して被制御機器を制御することもできる。
【００８９】
また，上記実施形態においては，リモコン装置が被制御機器との距離を直接測定する例を挙げて説明したが，かかる例には限定されない。例えば，位置測定装置を所定場所（例えば，天井）に設けることにより，ウルトラワイドバンド通信を使用して，所定物（ユーザ位置），被制御機器，制御機器の位置関係を把握することにより，被制御機器の制御値を補正することができる。
【産業上の利用可能性】
【００９０】
本発明は，映像音響機器システムに適用可能であり，特にＵＷＢ通信を利用した映像音響機器システムに適用可能である。
【図面の簡単な説明】
【００９１】
【図１】第１の実施の形態にかかる映像音響機器システムの構成を示す説明図である。
【図２】第１の実施の形態にかかるリモコン装置の構成を示すブロック図である。
【図３】一定時間ごとに測距を実行する場合のフローチャートである。
【図４】第１の実施の形態にかかるリモコン装置の測距方法を説明するための説明図である。
【図５】第１の実施の形態にかかるリモコン装置からの制御装置への測定結果が送信される方法を説明するための説明図である。
【図６】第１の実施の形態にかかる制御装置の動作フローを示すフローチャートである。
【図７】第１の実施の形態にかかる音情報がスピーカに送信される方法を説明するための説明図である。
【図８】第１の実施の形態にかかるリモコン装置による音情報中継モードに関する制御装置の動作フローを示すフローチャートである
【図９】第１の実施の形態にかかるリモコン装置による音情報中継モードに関するリモコン装置の動作フローを示すフローチャートである。
【図１０】第１の実施の形態にかかるリモコン装置による音情報中継モードに関する制御装置及びリモコン装置の動作フローを説明するための説明図である。
【符号の説明】
【００９２】
１０  映像音響機器システム
１００  ＤＶＤプレイヤ（制御装置）
２００  ディジタルアンプ
３００  プロジェクタ
４００  スクリーン
５００  スピーカ
６００  ウーファ
７００  リモコン装置
７１０  距離測定装置
７２０  信号変換装置
７３０  ＵＷＢ送信装置
７４０  アンテナ
７５０  システム制御装置
７６０  ＵＷＢ受信装置
７７０  信号変換装置
【図１】
2005328290.tif 000003
【図２】
2005328290.tif 000004
【図３】
2005328290.tif 000005
【図４】
2005328290.tif 000006
【図５】
2005328290.tif 000007
【図６】
2005328290.tif 000008
【図７】
2005328290.tif 000009
【図８】
2005328290.tif 000010
【図９】
2005328290.tif 000011
【図１０】
2005328290.tif 000012